Podtech/llm-jp-corpus-v4-ja_patent huggingface dataset:
(57)【要約】【課題】テープカッターにテープを装着するとき使いやすいようにポールと仕切り板の間を通すテープカッターを提供する。【解決手段】テープカッター（１）の片方の仕切り板の後部にポール（２）を設置、ポール（２）の先端ともう一方の仕切り板（３）の間をテープの厚みよりやや広く開けたテープカッター。ポール（２）と仕切り板（３）の間を通すことを特徴とするテープカッター。【選択図】図３
2012071987.tif 000002
【特許請求の範囲】
【請求項１】
テープカッター（１）の仕切り板の後部にテープをかけるためのポール（２）を片方だけに設置、テープカッター（１）の向かいのもう一方の仕切り板（３）とポール（２）の先端の間をテープの厚みよりやや広く開け、ポール（２）と仕切り板（３）の間にテープを通す簡単にテープが装着できるテープカッター。
【請求項２】
テープの回転にあわせて回転するポール（２）で簡単にテープが装着できるテープカッター。
【発明の詳細な説明】
【技術分野】
【０００１】  この発明は、テープカッターにテープを支えるためにポールを設けたテープカッターである。
【背景技術】
【０００２】  従来、テープを装着するとき何らかの操作が必要だった。
【発明の概要】
【発明が解決しようとする課題】
【０００３】  これは次のような欠点があった。
従来テープを装着する時、テープカッターの部品をはずして装着したりテープに部品を取り付けたり力がかかったりしていた。本発明は以上のような欠点をなくすためになされた物である。
【課題を解決するための手段】
【０００４】  テープカッター（１）の仕切り板の後部にテープをかけるためのポール（２）を片方だけに設置、テープカッター（１）の向かいのもう一方の仕切り板（３）とポール（２）の先端の間をテープの厚みよりやや広く開け、ポール（２）と仕切り板（３）の間にテープを通す簡単にテープが装着できるテープカッター。
【発明の効果】
【０００５】  ポールと仕切り板の間がテープの厚み以上に開いているため装着する時、操作もいらず力もいらないため使うときになんら差し支えなく装着できる。
【発明を実施するための形態】
【０００６】  以下、本発明を実施するための最良の形態について説明する。
テープカッター（１）の仕切り板の後部にテープをかけるためのポール（２）を片方だけに設置、ポール（２）の向かいのもう一方の仕切り板（３）とポール（２）の先端とテープの厚みよりやや広く開ける。本発明は以上のような構造である。これを使用するときは、ポール（２）と仕切り板（３）の間にテープを通せば簡単に装着できる。
【図面の簡単な説明】
【０００７】
【図１】本発明の断面図である。
【図２】本発明の断面図である。
【図３】本発明の斜面図である。
【図４】本発明の使用図である。
【符号の説明】
【０００８】１  テープカッター
２  ポール
３  仕切り板
４  テープ
５  手
【図１】
2012071987.tif 000003
【図２】
2012071987.tif 000004
【図３】
2012071987.tif 000005
【図４】
2012071987.tif 000006
(57)【要約】【課題】テープを貼った後、剥がしやすいよう折り返しが出来るテープカッターを提供する。【解決手段】表面にテープが接着しにくくしたローラー（１）数本を平行に並べ、表面にテープが接着しにくくしたローラー（１）の後に上面にテープが接着しにくくした板（２）を設け、表面にテープが接着しにくくしたローラー（１）が回るように穴を開けたプレート（３）を表面にテープが接着しにくくしたローラー（１）と上面にテープが接着しにくくした板（２）を横からはさみ固定し、表面にテープが接着しにくくしたローラー（１）が回るように穴を開けたプレート（３）の中心あたりに軸（４）を設け、テープカッター（５）の刃（６）の後に設置した折り返しの出来るテープカッターを特徴とする。【選択図】図３
2012071986.tif 000002
【特許請求の範囲】
【請求項１】
表面にテープが接着しにくくしたローラー（１）数本を平行に並べ、テープカッターの刃（６）側の部分をつまみやすく角度をつけ配置し表面にテープが接着しにくくしたローラー（１）の後部にテープが上面に接着しにくくした板（２）を設け、表面にテープが接着しにくくしたローラー（１）が回るように穴を開けたプレート（３）で表面にテープが接着しにくくしたローラー（１）とテープが上面に接着しにくくした板（２）を横からはさみ固定し表面にテープが接着しにくくしたローラー（１）が回るように穴を開けたプレート（３）の中心あたりに軸（４）を設けテープカッターの刃（６）の後部に軸（４）を中心に動くようテープカッター（５）に設置した折り返しの出来るテープカッター。
【請求項２】
テープが接着しにくくした板（２）の部分も接着しにくくしたローラー（１）数本にした折り返しの出来るテープカッター。
【請求項３】
表面にテープが接着しにくくしたローラー（１）とテープが上面に接着しにくくした板（２）の表面には、細い溝を入れてある折り返しの出来るテープカッター。
【請求項４】
表面にテープが接着しにくくしたローラー（１）とテープが上面に接着しにくくした板（２）の表面には凹凸をいれてある折り返しの出来るテープカッター。
【請求項５】
表面にテープが接着しにくくしたローラー（１）とテープが上面に接着しにくくした板（２）の表面にはシリコン加工してある折り返しの出来るテープカッター。
【請求項６】
表面にテープが接着しにくくしたローラー（１）とテープが上面に接着しにくくした板（２）の表面には蝋加工してある折り返しの出来るテープカッター。
【発明の詳細な説明】
【技術分野】
【０００１】  この発明は、テープカッターに表面にテープが接着しにくくしたローラーを設けた、テープに折り返しが出来るテープカッターに関するものである。
【背景技術】
【０００２】  従来、折り返しが出来るテープカッターは存在しなかった。
【発明の概要】
【発明が解決しようとする課題】
【０００３】  これは、次のような欠点があった。
従来のテープカッターでは折り返しが出来ないため、テープを貼ると剥がしづらかった。
本発明は以上の問題をなくすためになされたものである。
【課題を解決するための手段】
【０００４】  表面にテープが接着しにくくしたローラー（１）数本を平行に並べ、テープカッターの刃（６）側の部分をつまみやすく角度をつけ配置しローラー（１）の後部にテープが上面に接着しにくくした板（２）を設け、ローラー（１）が回るように穴を開けたプレート（３）でローラー（１）とテープが上面に接着しにくくした板（２）を横からはさみ固定しプレート（３）の中心あたりに軸（４）を設けテープカッターの刃（６）の後部に軸（４）を中心に動くようテープカッター（５）に設置した折り返しの出来るテープカッター。
【発明の効果】
【０００５】  今までのものだと折り返しがないため爪を使って剥がしたり、無理やり剥がし、テープを貼っているものを痛めたりしていた。
本発明は折り返しがあるため簡単に剥がすことが出来る。
【発明を実施するための形態】
【０００６】表面にテープが接着しにくくしたローラー（１）数本を平行に並べ、ローラー（１）の後にテープが上面にテープが接着しにくくした板（２）を設け、ローラー（１）が回るように穴を開けたプレート（３）をローラー（１）とテープが上面に接着しにくくした板（２）を横からはさみ固定し、プレート（３）の中心あたりに軸（４）を設け、テープカッター（５）の刃（６）の後にローラー（１）が前になるようにテープカッターの刃（６）の高さあたりに、軸（４）を中心にローラー（１）、テープが上面に接着しにくくした板（２）が上下に動くように設置する。
これを使用するときは指で、テープが上面に接着しにくくした板（２）を上から押し、テープをテープカッターの刃（６）からはずしローラー（１）の先端にテープを指で押し当てつまみ出すと折り返しの付いたテープが取り出せる。
【図面の簡単な説明】
【０００７】
【図１】  本発明の断面図である。
【図２】  本発明の斜視図である。
【図３】  本発明の断面斜視図である。
【図４】  本発明のテープ（７）をテープカッターの刃（６）からはずす図である。
【図５】  本発明のテープ（７）をつまみ出す図である。
【符号の説明】
【０００８】  １  表面にテープが接着しにくくしたローラー
２  上面にテープが接着しにくくした板
３  プレート
４  軸
５  テープカッター
６  テープカッターの刃
７  テープ
８  手
【図１】
2012071986.tif 000003
【図２】
2012071986.tif 000004
【図３】
2012071986.tif 000005
【図４】
2012071986.tif 000006
【図５】
2012071986.tif 000007
(57)【要約】      （修正有）【課題】小動物に薬を飲ませる時多くは、嫌がる動物の口を大きく開けて飲ませる事が多いそこで、動物に飲ませ易くする為に使用する、薬投薬器を提供する。【解決手段】本体１は柔らかい材質を使い、先端はなるべく厚みを薄くして薬剤３が出やすくし、柔らかい材料を使用した押し出し棒２で押し出すようにした。錠剤３や、顆粒でも飲ませ易くする為に、薬を直接人が手に持たずに、本器を使用する事で楽に動物にも優しく投薬出来る特徴を持った薬投薬器。【選択図】図１
2012071078.tif 000002
【特許請求の範囲】
【請求項１】
動物の薬投与に危険が少なく、楽に薬を飲ませられる様に工夫した、動物用薬投与器。
【発明の詳細な説明】
【技術分野】
【０００１】  本発明は、犬、猫などに飼い主が、薬をのませることが多くなってきました、飼い主の危険や、その大変さを軽減する事が出来る、動物用薬投与器に関する物である。
【背景技術】
【０００２】  今までは小動物に薬を飲ませる方法としては、餌のなかに薬を混ぜて飲ませようとしていますが、薬だけが残ってしまい飲ませる事が出来ない事が多くあります。【０００３】  そこで動物の口を大きく開けて喉のところに押し込んで飲ませていますがなかなか大変で、うまくいかず、やり直す事が有り大変な作業になります、本発明は、その問題点を解決するためのものである。
【課題を解決するための手段】
【０００４】  薬を指先に挟んで喉の奥に押し込む事は大変な作業になるので、その作業を出来るだけ楽にする為に考えたのが、幾分柔らかな素材で、口腔内でも危険が無く、動物に対しても優しいシリコン樹脂材等を使い、手軽に薬を飲ませる事が出来る動物用薬投与器である。
【発明の効果】
【０００５】  動物の喉の部分に直接薬を投与し易くなる為、錠剤でも、オブラートにくるんだ顆粒の薬でも動物に対して、ストレスが少ない状態で薬を飲ませる事が出来る。
【発明を実施するための最良の方法】
【０００６】  以下、本発明の実施の形態について説明する。
材質は柔らかい材質を使い動物の口の中に入れても怪我などが無い様な形状にし、先端はなるべく厚みを薄くして薬剤が出やすく、押し出しやすくし、押し出し棒も柔らかい材料を使用している。
【図面の簡単な説明】
【０００７】
【図１】  本発明の使用時の状態図である。
【図２】  本発明の本体である。
【図３】  本発明の押し出し棒である。
【符号の説明】
【０００８】１  本体
２  押し出し棒
３  投薬用薬剤
【図１】
2012071078.tif 000003
【図２】
2012071078.tif 000004
【図３】
2012071078.tif 000005
(57)【要約】【課題】  室内でグランドゴルフをする際、必要以上に転がらないよう、回転を抑えたグランドゴルフ室内用ボールを提供する。【解決手段】  グランドゴルフ用ボール内部に空間を設け、空間内に適量の液体状物質、または、適量の砂状の細かい物質を詰めたことを特徴としたグランドゴルフ室内用ボール。【選択図】図１
2012071076.tif 000002
【特許請求の範囲】
【請求項１】
ボール内部に空間を設け、上部より空間内に向けて設けたトンネル状の穴を通し、適量の液体状の物質を詰め、その後、液体状の物質が漏れ出ないよう接着剤を塗った詰め栓にて穴を塞いだことを特徴とするグランドゴルフ室内用ボール。
【請求項２】
ボール内部に空間を設け、上部より空間内に向けて設けたトンネル状の穴を通し、適量の砂状の細かい物質を詰め、その後砂状の細かい物質が漏れ出ないよう接着剤を塗った詰め栓にて穴を塞いだことを特徴とするグランドゴルフ室内用ボール。
【発明の詳細な説明】
【技術分野】
【０００１】  本発明は、室内にてグランドゴルフの競技をする際ボールの転がりを少なくするためのグランドゴルフ室内用ボールに関するものである。
【背景技術】
【０００２】  従来から、グランドゴルフは、雨天の場合や高齢者などの場合体育館のような室内で競技を行わなければならない場合があった。
【発明の概要】
【発明が解決しようとする課題】
【０００３】  そのために次のような問題点があった。
戸外の運動場や芝生上と違い、室内の板張りやコンクリートの場合、戸外と同じように打った場合、ボールが転がりすぎ、力の加減が難しく面白みも半減するものであった。
本発明は以上の問題点を解決するためになされたものである。
【課題を解決するための手段】
【０００４】  ボールの内部に空間を設け、ボール上部より内部に向けて開けたトンネル状の穴を通して空間部分に適量の液体状の物質、または、適量の砂状の細かい物質を詰める。
何れか適量の物質を詰めたあと、トンネル状の穴は接着剤を塗った詰め栓にてふさぐ。
以上を特徴としたグランドゴルフ室内用ボールである。
【発明の効果】
【０００５】  ボール内部に詰められた液体状の物質、または、砂状の物質がボールを打った瞬間に反動で逆方向に動くため、ボールが前に転がる力が抑えられ、転がっている間も空間部分の物質により回転を押えられ、転がり過ぎることがなく、力加減で前方に転がる距離を調整することができる。
それにより、戸外に近い感覚で競技をすることができる。
【図面の簡単な説明】
【０００６】
【図１】  本発明のボールに液体状物質、または、砂状物質を詰める直前の断面図である。
【図２】  本発明のボールに液体状物質、または、砂状物質を詰め、栓を固定した状態の断面図である。
【発明を実施するための形態】
【０００７】  以下、本発明の実施の形態について説明する。
ボール（１）の中央部に空間（２）を設ける。
ボール（１）の中央部上側より空間（２）に向けてトンネル状の穴（３）を設ける。
適量の液体状の物質、または、砂状の細かい物質（５）をトンネル状の穴（３）より空間（２）へ流し込む。
詰め栓（４）に接着剤を塗りトンネル状の穴（３）に差込み固定する。
本発明は以上のような構造である。
本発明を使用するときは、体育館内等で戸外での競技同様グランドゴルフ用クラブにて打つ。
【符号の説明】
【０００８】１  ボール本体
２  空間部
３  トンネル状の穴
４  詰め栓
５  液体状の物質、または、砂状の細かい物質
【図１】
2012071076.tif 000003
【図２】
2012071076.tif 000004
(57)【要約】      （修正有）【課題】調理用のお玉杓子が、自立できる方法を提供する。【解決手段】柄の長さ４をＬ，柄の幅５をｄ、杓子部分の半径２をｒ、定数をα、杓子部分１の厚さが柄部分３の厚さのｂ倍とするとき、Ｌ＜α（２πｂｒ３／ｄ）１／２及びα≦０．７の２つの不等式を満足する形状であることを特徴とするお玉杓子である。【選択図】図１
2012071080.tif 000002
【特許請求の範囲】
【請求項１】
柄の長さをＬ，幅をｄ、杓子部分の半径をｒ、定数をα、杓子部分の厚さが柄部分の厚さのｂ倍とするとき、
Ｌ＜α（２πｂｒ３／ｄ）１／２  と  α≦０．７  の２つの不等式を満足するような形状のお玉杓子。
【発明の詳細な説明】
【技術分野】
【０００１】  この発明は、お玉杓子に関するものである。
【背景技術】
【０００２】  お玉杓子は、調理器具のひとつで、日常的に使われるものである。しかし、自立できないので、実際に使用されるときには、置き場所に困るものである。そのため、自立させるための器具が種々考案され、市販もされている。また、自立させるために杓子底面の一部を平面にしたお玉杓子も市販されている。【０００３】  しかし、自立させるための器具を用意することは、調理の邪魔になる可能性がある。また、杓子底面の一部を平面にしたお玉杓子は、製作工程が増えることや、樹脂製の場合は、高温調理に向かないという問題点がある。
【発明の開示】
【発明が解決しようとする課題】
【０００４】  従来のお玉杓子は、自立できないため、調理の邪魔になるという問題があった。また、杓子底面の一部を平面にしたお玉杓子は、製作工程が増えるという問題点があり、更に、樹脂製の場合は、高温調理に向かないという問題点があった。
【課題を解決するための手段】
【０００５】  柄の長さをＬ，幅をｄ、杓子部分の半径をｒ、定数をα、杓子部分の厚さが柄部分の厚さのｂ倍とするとき、つぎのような不等式を導入する。
Ｌ＜α（２πｂｒ３／ｄ）１／２    ・・・・・・・・・・（不等式１）
α≦０．７          ・・・・・・・・・・・・・・・・・（不等式２）
不等式１と不等式２を満足するように作ることにより、お玉杓子を自立させることができる。
この不等式は、形状についての単純化された考察から導かれたものである。既存のお玉杓子は、調査した限り、全てが自立できないものであり、それら全てがこの不等式を満足していないことが確認された。
【発明の効果】
【０００６】  柄の長さをＬ，幅をｄ、杓子部分の半径をｒ、定数をα、杓子部分の厚さが柄部分の厚さのｂ倍とするとき、上記の不等式１及び不等式２を満足させる形状では、自立することが可能となる。自立すると、調理の邪魔になることが少なくなり、問題点が解決される。
【発明を実施するための最良の形態】
【０００７】  杓子部分の半径ｒ＝３．５ｃｍ、柄の部分の幅ｄ＝１ｃｍ、柄の長さＬ＝８．５ｃｍ、杓子部分と柄部分の厚さは同一とする。これらの条件は、不等式１及び不等式２を満足するものであり、自立が可能となる。
材質は、金属製、樹脂製、木製、あるいはその組合せ等、が可能であり、特別な制限はない。また、厚さにも制限はない。
【実施例】
【０００８】  アルマイトを材質とし、杓子部分の半径ｒ＝３．５ｃｍ、柄の部分の幅ｄ＝１ｃｍ、柄の長さＬ＝８．５ｃｍ、杓子部分と柄部分の厚さは同一で０．６ｍｍとした。その結果、自立でき、復元力も十分であり、調理中、邪魔になることがなく、問題点が解決できたことが確認された。
同様に、ステンレスを材質とした場合でも、自立するという結果が得られた。更に、ステンレスの厚さを１．０ｍｍとしたものでも、自立することが確認できた。
【図面の簡単な説明】
【０００９】
【図１】  本発明の斜視図である。
【符号の説明】
【００１０】  １  杓子部分  （厚さ＝ｂｔ）
２  杓子部分の半径
３  柄部分    （厚さ＝ｔ）
４  柄の長さ
５  柄の幅
【図１】
2012071080.tif 000003
(57)【要約】【課題】従来より、簡単に歯石、歯垢を除去できる歯ブラシが無かった。本発明は歯石、歯垢が簡単に除去できる歯ブラシ等を提供することを目的とする。【解決手段】刷毛の中に研磨剤を練りこむか、付着させる等して、歯を磨くことにより簡単に、歯石、歯垢を除去できる歯ブラシ、歯間ブラシ、糸ようじを実現する。【選択図】図１
2012071079.tif 000002
【特許請求の範囲】
【請求項１】
刷毛に研磨剤を練りこんだり、付着させたりした歯ブラシ等のブラシ。
【請求項２】
研磨材のついた歯間ブラシである、請求項１に記載のブラシ
【請求項３】
研磨材の付いた糸を持つ糸ようじである、請求項１に記載のブラシ。
【発明の詳細な説明】
【技術分野】
【０００１】本ブラシは、簡単に歯石、歯垢を除去できる、歯ブラシ等のブラシに関する。
【背景技術】
【０００２】従来の歯ブラシ等は、刷毛の太さ、硬さ、形状による歯石、歯垢の除去が研究されていた。
【先行技術文献】
【０００３】
【特許文献】
【特許文献】特許には全くない。
【０００４】
【非特許文献】
【非特許文献】全くない。
【発明の概要】
【発明が解決しようとする課題】
【０００５】本発明は歯ブラシ等の刷毛に研磨剤を練りこみ等したものを使用することにより、手軽に歯石、歯垢を除去する。
【課題を解決しようとするための手段】
【０００６】刷毛に研磨剤を練りこんだり、付着させたりして、歯ブラシ、歯間ブラシ又は糸ようじであるブラシを実現する。
【発明の効果】
【０００７】研磨剤付ブラシの使用により、歯石、歯垢の除去が手軽に出来る。
【図面の簡単な説明】
【０００８】
【図１】全部研磨剤付の刷毛を持つ歯ブラシの側面図。
【図２】一部研磨剤付の刷毛を持つ歯ブラシの側面図。
【図３】研磨剤の付いた歯間ブラシの正面図。
【図４】研磨剤の付いた糸ようじの正面図。
【発明を実施するための形態】
【０００９】以下、本発明の実施の形態を図１〜図４に基づいて説明する。
【００１０】図１で示すのは、全部研磨剤つき刷毛１による歯ブラシ２を示す。
【００１１】図２で示すのは、一部研磨剤つき刷毛３による歯ブラシ２を示す。
【００１２】図３は、研磨剤つき刷毛４を持つ歯間ブラシ５を示す。
【００１３】図４は、研磨剤付の糸６を持つ糸ようじ７を示す。
【００１４】研磨剤は、練り込んだり、又、付したりいかなる方法で付けても良い。ダイヤモンド粒子等も最適なものの一つである。
【００１５】研磨剤の種類、粒度、密度等を変えることにより、最適なブラシが得られろ。
【符号の説明】
【００１６】１、  全部研磨剤つきの刷毛
２、  歯ブラシ
３、  一部研磨剤つき刷毛
４、  研磨剤つき刷毛
５、  歯間ブラシ
６、  研磨剤付糸
７、  糸ようじ
【図１】
2012071079.tif 000003
【図２】
2012071079.tif 000004
【図３】
2012071079.tif 000005
【図４】
2012071079.tif 000006
(57)【要約】      （修正有）【課題】ガラスを使用した装身具において、自由にデザインを展開できるガラス付き装身具を提供する。【解決手段】ガラス２を使用した装身具において、貴金属製あるいは金属製の土台にガラス２固定用の細工を設けた後、必要に応じて宝石などを設置したり、デザインなどを設置したりしながら、１色あるいは２色以上のガラス２を、貴金属製あるいは金属製の土台の中に、ガラス２を溶融した後、凝固、固定化させることによって作られるガラス付き装身具１０。【選択図】図１
2012071027.tif 000002
【特許請求の範囲】
【請求項１】
ガラスを使用した装身具において、貴金属製あるいは金属製の土台に固定用細工を設けた後、ガラスを溶融して固定化させることによって作られるガラス付き装身具。
【請求項２】
ガラスが鉛入りガラスがソーダガラスであることを特徴とする請求項１に記載の装身具。
【請求項３】
金属製の台にあらかじめ宝石が設置されている請求項１に記載の装身具。
【請求項４】
金属製の台にあらかじめデザインが設置されている請求項１に記載の装身具。
【請求項５】
２色以上のガラスを混合、溶融させてなる請求項１に記載の装身具。
【発明の詳細な説明】
【技術分野】
【０００１】
この発明は金属などの土台を使用した装身具において、ガラスを使用することにより、そのデザイン性を高めるとともに、比較的安価な装身具の製造方法である。
【背景技術】
【０００２】
ガラスを使用した装身具を製造する場合、その多くがあらかじめガラスを装飾体として作り、その後に金属ワイヤーや紐などでガラスを固定し、装身具としている。
【０００３】
しかし、あらかじめ装飾体として作られたガラスは、大きさにバラツキがあるものが多く、金属ワイヤーや紐などで固定する作業は１個ずつの複雑なものとなってしまっていて、大量生産やコストダウンが難しいもとなってしまっている。
【０００４】
このことから、特許公開２００９−４９０のように、２枚のガラスの間に金属ワイヤーなどを挟み、この後にガラスを溶融して金属ワイヤーを固定するという技法も公開されている。
【０００５】
しかしながら、特許公開２００９−４９０では、金属ワイヤーの物理的固定方法やガラスの均等成形や溶融に大きな問題を抱えている。
【先行技術文献】
【特許文献】
【０００６】
【特許文献１】特許公開２００９−４９０
【発明の概要】
【発明が解決しようとする課題】
【０００７】
この発明は前述した問題点を解決するものであり、ガラスを使用した装身具において、容易に安定的な品質や形状のガラス装身具を提供することができる、装身具の製造方法に関するものである。
【課題を解決するための手段】
【０００８】
以上の課題を解決するため、この発明は、ガラスを使用した装身具において、あらかじめ貴金属や金属で、その内側に凸形状もしくは凹形状や固定可能な細工の付いた土台とガラスから成り立っていて、前述の問題点を解決し、安定的な品質や形状のガラス装身具を製造することができることを特徴とするものである。
【０００９】
この発明は、ガラスを使用した装身具において、安定した品質や形状のガラス装身具を容易に製造できることを特徴とする。
【００１０】
この発明の貴金属や金属で作られた土台には、凸形状もしくは凹形状や固定可能な細工が付いていて、その枠にガラスが固定されていることを特徴とする。
【発明の効果】
【００１１】
この発明によれば、ガラス装身具において、金属ワイヤーや紐などでガラスを固定するというわずらわしさを取り除き、容易に安定した品質や形状のガラス装身具を作ることが可能となった。
【図面の簡単な説明】
【００１２】
【図１】この発明の全体図である。
【図２】この発明の実施形態を示す図である。
【図３】この発明の実施形態を示す図である。
【発明を実施するための形態】
【００１３】
図１は本発明の形態で、ガラスを使用した装身具である
図１に示すように、ガラス付き装飾体１０は、金属本体１とガラス２から形成されている。
【００１４】
ガラス付き装飾体１０の金属本体は貴金属製か金属であるので、指輪やペンダントやイヤリング、ブローチ、ブレスレットなど全ての装身具を作ることができる。
【００１５】
ガラス付き装飾体１０の台１は、一般的に使用されている素材なので、自由な形状で製作することができる。
【００１６】
ガラス付き装飾体１０に用いられるガラス２は一般的なガラスで鉛入りガラスやソーダガラスである。
【００１７】
図２に示すように、ガラス付き装飾体１０は金属本体１とガラス２とで形成されている。
【００１８】
図２のように、ガラス付き装飾体１０の金属本体１には、ガラスが抜け落ちることのないように、固定溝３がある。
【００１９】
溶融したガラス３は、金属本体１に入り込み固体化し、固定溝３によって固定される。
【００２０】
金属本体１に固定されるガラスは、高温で溶融してから固定されるので、金属本体１の形状にしたがって自由な形に成形され、固定溝によって固定されるので抜け落ちることはない。
【００２１】
金属本体１に設けられるガラス１の固定用細工３は、図３に示すような凹凸形状の他に金属本体１の中に格子状や模様、デザインなどを形成しておくことによっても代用が出来る。
【００２２】
金属本体１に溶融後固定されるガラスは、いろんな色を混ぜ合わせたり、積層状にすることによって、様々なデザインを表現することができる。
【００２３】
そして、金属本体内に宝石や金属のデザイン物などをあらかじめ設置しておくことによって、それらをガラス内に固定することができる。
【００２４】
このような工程を経て製造されたガラス付き装身具１０は、安価で様々なデザインが展開できる、従来になかった装飾体となった。
【産業上の利用可能性】
【００２５】
この発明の装身具は、従来のような形状が限定されるガラス装飾体を、デザインに制限されることのない装身具として提供できるものである。
【符号の説明】
【００２６】
１  金属本体
２  ガラス
３  固定用溝
４  固定用突起
【図１】
2012071027.tif 000003
【図２】
2012071027.tif 000004
【図３】
2012071027.tif 000005
(57)【要約】【課題】  腹部に装着して使用するねじり運動具を提供する。【解決手段】  湾曲した２本のアームの内側を向かい合わせ、その上端を支点軸で連結し、この支点軸にバネを設け、フトンバサミ形状に構成する。そしてアームの内側にローラーを複数個ずつ装着したことを特徴とするねじり運動具。【選択図】図１
2012071082.tif 000002
【特許請求の範囲】
【請求項１】
湾曲した２本のアームの内側を向かい合わせ、その上端を支点軸で連結し、この支点軸にバネを設け、アームの内側にローラーを数個ずつ装着したことを特徴とするねじり運動具。
【発明の詳細な説明】
【技術分野】
【０００１】  本発明は、腹部に装着して使用する、ねじり運動具に関するものである。
【背景技術】
【０００２】  従来、本発明とは形態は全く異なるが、回転盤の上に乗って体をねじるツイスト盤という、円形のねじり運動具があった。
【発明の開示】
【発明が解決しようとする課題】
【０００３】  それには、次のような問題点があった。
（イ）  負荷が小さいので、長時間使用しても運動効果は期待できない。
（ロ）  腰部のストレッチ運動だけで、他の運動ができず利用価値が少ない。
本発明は、これらの問題点を解決するためになされたものである。
【課題を解決するための手段】
【０００４】  湾曲した２本のアームの内側を向かい合わせ、その上端を支点軸で連結し、この支点軸にバネを設け、フトンバサミ形状に構成する。そして、アームの内側にローラーを数個ずつ装着する。また、それらのローラーに負荷調節ベルトを付け、ローラーに摩擦抵抗を負荷できるようにする。以上を特徴とするねじり運動具である。
【発明の効果】
【０００５】（イ）  負荷装置が付いているので、腹部に装着して両手または片手で本体を左右へ回転        させることにより、広背筋、僧帽筋、腹斜筋、大胸筋、上腕三頭筋、など一度に        多くの筋肉を鍛えることができる。なお、片手で使用するほうが動きも大きくな        り、負荷も倍になるので両手で使用する場合よりより高い運動効果が得られる。
（ロ）  体の上半身をねじることにより、体の柔軟性の向上と姿勢の改善に効果がある。
（ハ）  複数のローラーが腹部を刺激し、便通やスタイルの改善に効果が期待できる。
【発明を実施するための最良の形態】
【０００６】  以下、本発明の実施の形態について説明する。
（イ）  湾曲した２本の合成樹脂製のアーム（１）、（１）の内側を向かい合わせ、その        上端を支点軸（２）で回動自在に連結する。
（ロ）  支点軸（２）にバネ（３）を設け、アーム（１）、（１）に挟む力を持たせる。
（ハ）  アーム（１）、（１）は内側が空洞のコ字状になっており、そこにローラー（４        ）を数個ずつ装着する。
（ニ）  バネ（３）は一端が固定され、他端はバネ調節ノブ（５）のボルトの下側に固定        され、バネ調節ノブ（５）を締め込むと、バネ（３）の一端が持ち上がりバネ（        ３）の反発力が強くなり、逆に緩めると弱くなる構造である。
（ホ）  ローラー（４）は先端の二つのローラーを除き、他の全てのローラーがブレーキ        ベルト（６）と接触しており、ブレーキノブ（７）を締め付けることにより回転        に摩擦負荷が加えられる構造である。
本発明は以上のような構成で、これを使用するときは、アーム（１）、（１）を左右に広げ腹部に挟み、アーム（１）、（１）を両手でまたは片手で持って、体をねじりながら左右に回転できるところまで回す。このときバネ（３）の力でアーム（１）、（１）が体を挟み込んでいるので、両手を離しても落下することがない。
そして、負荷を強くしたいときは、まずバネ（３）に付いているバネ調節ノブ（５）を締め付けてアーム（１）、（１）の挟む力を強め、次にブレーキノブ（７）を締め付けることでローラーの動きが重くなり強い運動を行うことができる。
なお、大胸筋、上腕三等筋、僧帽筋を鍛えるには、アームを片手で持って左右へ動かすと動きも抵抗もより大きくなり、運動効果も一層高まる。
【図面の簡単な説明】
【０００７】
【図１】    本発明の斜視図
【図２】    本発明の正面の断面図
【符号の説明】
【０００８】１  アーム
２  支点軸
３  バネ
４  ローラー
５  バネ調節ノブ
６  ブレーキノブ
７  ブレーキベルト
【図１】
2012071082.tif 000003
【図２】
2012071082.tif 000004
(57)【要約】【課題】  従来の授乳用アームカバーは使い道が授乳時のみであり、デザインも乏しく、単調な形態である。そこで、本発明においては授乳用アームカバーの機能と人形遊びの機能を一体化することにより、見栄えが可愛らしく、楽しく遊ぶこともできる授乳用人形アームカバーを提供する。【解決手段】  吸水性、通気性のある生地を筒状に縫製し、両端部にゴムを取り付けた授乳用アームカバーに、動物や各種キャラクター等の顔や体のパーツを縫い付け、人形の形に構成した。【選択図】図１
2012071089.tif 000002
【特許請求の範囲】
【請求項１】
通気性、吸水性のある生地を筒状に縫製し、その両端部にゴムを取り付けた授乳用アームカバーに、動物や各種キャラクター等の顔や体のパーツを縫い付け、指や腕にはめて遊べる人形の形にし、授乳用アームカバーの機能と人形遊びの機能を一体化させたことを特徴とする授乳用人形アームカバー。
【発明の詳細な説明】
【技術分野】
【０００１】  本発明は指、腕にはめて遊べる人形としても使えるようにした授乳用アームカバーに関するものである。
【背景技術】
【０００２】  汗を吸い取る目的のみの授乳用アームカバーがあった。
【先行技術文献】
【特許文献】
【０００３】
【特許文献１】  登録実用新案第３０５４５０７号
【発明の概要】
【発明が解決しようとする課題】
【０００４】  従来の授乳用アームカバーは使い道が授乳時のみであり、デザイン性が乏しく、単調な形態である。
そこで、本発明においては授乳用アームカバーの機能と人形遊びの機能を一体化することにより、見栄えが可愛らしく、楽しく遊ぶこともできる授乳用人形アームカバーを提供する。
【課題を解決するための手段】
【０００５】  通気性、吸水性のある生地を筒状に縫製し、両端部にゴムを取り付ける。片方の端に動物や各種キャラクター等の顔や体のパーツを縫いつけ、人形の形に構成し、指や腕にはめて、授乳時以外に遊べて使えることを特徴とする。
【発明の効果】
【０００６】  本発明により、授乳時以外でも使えるようになり、子どもと楽しく遊ぶことができる。
【図面の簡単な説明】
【０００７】
【図１】  本発明の一例であるウサギの授乳用人形アームカバーの説明図である。
【発明を実施するための形態】
【０００８】  以下、本発明の実施の形態を一例である図１をもって説明する。
（イ）綿パイル生地１を筒状に縫製し、その両端部にゴム２を取り付け、これを本体と      する。
（ロ）本体同様、綿パイル生地を袋状に縫った耳３の袋口半分を、本体の片端筒口半分      にそれぞれ縫い付ける。
（ハ）フェルト生地で型取った目４と鼻５を、本体の上部に縫い付ける。
【実施例】
【０００９】  授乳時においては、ゴム２の部分より子どもを抱く方の手を入れて腕にはめ、抱っこする。
遊ぶ時は同じようにゴム２の部分より手を入れて腕にはめる。耳３に人差し指と中指をそれぞれ入れて動かし、子どもと遊ぶ。
【産業上の利用可能性】
【００１０】  本発明は、使い道が二通りにもなるベビー用品であるので、需要度が高く、出産祝いなどの贈り物にも最適である。
【符号の説明】
【００１１】１  綿パイル生地の本体
２  ゴム
３  綿パイル生地の耳
４  フェルト生地の目
５  フェルト生地の鼻
【図１】
2012071089.tif 000003
(57)【要約】      （修正有）【課題】清掃者が清掃したのち、利用者が便器下の床面に失敗して漏らしても、次の清掃周期まで汚れたままで、踏み場に迷う事になり、清潔さは不可能だったので、何時でも清潔さを保つためにトイレ清掃用具を提供する。【解決手段】便器下の床面に、もし失敗して漏らしたら、便器脇にトイレ清掃用具１を備え、自ら拭き取り、トイレの環境並びに清潔さを維持する。【選択図】図１
2012071086.tif 000002
【特許請求の範囲】
【請求項１】
スリッパの踵部分を除いた用具の上部と底部裏面部に水分を拭き取るための生地を設けたことを特徴とするトイレ清掃用具。
【発明の詳細な説明】
【技術分野】
【０００１】  本発明は、トイレ便器下の床面に失敗した尿漏れを、自ら清掃処理するためのトイレ清掃用具に関するものである。
【背景技術】
【０００２】  従来、トイレを利用するときに、便器下の床面に失敗して一滴の尿漏れも、処理する物がないからそのまま立去った、そこでトイレ清掃用具を設け、自ら処理する。
【発明の概要】
【発明が解決しようとする課題】
【０００４】  トイレを清掃担当者が周期的に掃除しても、第一利用者が便器下の床面に失敗した尿漏れは、用具がないから悪いと思いながら処理できなかった。
従って、清掃者が次に掃除するまで、汚れたままの不愉快な状態が限りなく続いて清潔さは不可能だった。
本発明は、以上の問題点を解決するためのものである。
【課題を解決するための手段】
【０００５】  スリッパの踵部分を除いた用具の上部と底部裏面部に水分を拭き取るための生地を設けたことを特徴とするトイレ清掃用具。
【発明の効果】
【０００６】  従来不可能とされていた便器下の床面の尿漏れ汚れは、清掃者の手を待つ迄仕方がなかった、従って、踏み足は汚れを避けるようにして利用する。
本発明は、清掃者の掃除を待たずして自ら拭き取り処理を行うことにより何時も清潔な場で利用することができるようにする。
【図面の簡単な説明】
【０００７】
【図１】  本発明の斜視図
【図２】  本発明の使用状態を示す斜視図
【図３】  Ａ−Ａ断面図
【発明を実施するための形態】
【０００８】    以下、本発明の実施の形態を説明する。
（イ）便器脇床面に本発明であるトイレ清掃用具を備える。
（ロ）トイレ清掃用具の形態は、つま先部分から土踏まず部分を全て覆うような、例えばスリッパの踵部分を除いたもので、床に失敗した尿漏れを自ら拭き取ることを目的とし、拭き取る方法については、水分拭き取り可能な生地をスリッパ形態の底裏面部に取り付ける。
本発明に、履物を差し込むにあたり、水分が履物にまで滲み込むことのないように本発明の内部にはポリエステル系素材で構成し、滲み込みを防ぐ構造にして設ける。
（ハ）トイレ清掃用具の材質は、ポリエステル系の上の部分と床面に漏れた尿を始末する底面の部分は一体性とする、底面は水分を拭き取り可能な生地材質にして設ける。
（ニ）トイレ清掃用具は洗濯可能な構造にして設ける。
（ホ）本発明を使用するときは、便器脇に備え、自らの履物を差し込み、誰もが使用できるように設け、汚したままにして立去らないよう、目に付きやすくするため、次の項目のように表示して設ける。
（１）トイレ清掃用具のあり場所が、目に付くように足の甲に当たる部分の中央表面に、自分で始末する、と大文字で分かり易い文字色で表示する。
（２）足の甲に当たる部分の右側に、露ほども必ず、と普通の文字で、普通の文字色で表示する。
（３）足の甲に当たる部分左側に、拭き取りましょう、と普通の文字で、普通の文字色で表示する。
（４）用具は、上部と下部の一体性にして、足で処理するに、容易に拭き取ることが出来るような構造にして設ける。
【符号の説明】
【０００９】  １  用具    ２  爪先部    ３  裏面    ４  差込部    ５  底部
【図１】
2012071086.tif 000003
【図２】
2012071086.tif 000004
【図３】
2012071086.tif 000005
(57)【要約】      （修正有）【課題】衣服を汚すことなく排尿し、使用後の後始末も容易な男性用携帯小便容器を提供する。【解決手段】袋形状の男性用携帯小便容器１は、開口部２を折り返し、内側に輪ゴム３を封入して融着固定し、開口部２に腰押さえ紐４の端部を係着し、腰押さえ紐４の適所に長さ調節ストッパー６を装着し、男性用携帯小便容器１内に吸水剤・消臭剤・芳香剤７を装填した。【選択図】図１
2012071085.tif 000002
【特許請求の範囲】
【請求項１】
袋形状の男性用携帯小便容器（１）は、開口部（２）を折り返し、内側に輪ゴム（３）を封入して融着固定し、該開口部（２）に腰押さえ紐（４）の端部（５）、（５）を係着し、前記腰押さえ紐（４）の適所に長さ調節ストッパー（６）を装着し、かつ、男性用携帯小便容器（１）内に吸水剤・消臭剤・芳香剤（７）、（７）を装填したことを特徴としたものである。
【発明の詳細な説明】
【技術分野】
【０００１】  本発明は、どんな場所でも衣服を汚すことなく、小便を処理できる男性用携帯小便容器に関する。
【背景技術】
【０００２】  従来から尿漏れを防止する目的をもって、紙オムツや、尿漏れパンツが使用されてきた。しかし、紙オムツや尿漏れパンツは、下着に代わって装着すると、違和感があったり、蒸れる感じがするという問題があった。
【先行技術文献】
【特許文献】
【０００３】
【特許文献１】
【被特許文献１】
【発明の概要】
【発明が解決しようとする問題】
【０００４】  われわれの日常生活の中では、トイレがあってもトイレに行って小便をすることができないという事態がしょうじる場合がある。例えば、車社会の今日では、交通渋滞に巻き込まれることも希なことではなくなった。交通渋滞で一番困ることは小便の処理の事である。何時間もの間、車から降りることができずに、小便が溜まって来て我慢ができなくなった時は、最悪な状態になる。
そうした時に、衣服を汚すことなく、小便を処理することができる男性用携帯小便容器あれば助かることになる。本発明は、トイレに行けない場合でも、小便を出しても衣服を汚すことがなく、排尿後の後始末も容易で簡単、快適に処理できる男性用携帯小便容器を開発提供しようとするものである。
【課題を解決するための手段】
【０００５】  上記目的を達成するために、本発明における男性用携帯小便容器は、下記のような構成としている。
袋形状の男性用携帯小便容器１は、開口部２を折り返し、内側に輪ゴム３を封入して融着固定し、該開口部２に腰押さえ紐４の端部５、５を係着し、前記腰押さえ紐４の適所に長さ調節ストッパー６を装着し、かつ、男性用携帯小便容器１内に吸水剤・消臭剤・芳香剤７、７を装填したことを特徴としたものである。
【発明の効果】
【０００６】  本発明は上記のとおり構成されており、携帯小便容器と、吸水剤・消臭剤・芳香剤、腰押さえ紐、長さ調節ストッパーを一体化させているので、次に記載する効果を奏する。
１．  乗り物渋滞時、釣り船乗船時、高所作業時、体調不良時などの小便の処理に際し、衣服を汚す心配もなしに、安心して処理できる。
２．  小便を頻繁にする人々にとって、大変重宝で貴重なグッツになる。
３．  開口部が輪ゴムで広がるようになっているので、本容器にペニスを挿入しやすくなっている。
４．  本容器には、吸水剤・消臭剤・芳香剤が装填されているので、排尿は凝固され、消臭され、芳香するので、排尿時の処理が、容易で、簡単、快適にできる。
５．  本容器は、小便漏れなどが起きる幼児や小学生などの方々にも適用できる。
【図面の簡単な説明】
【０００７】
【図１】  一実施例の斜視図である。
【図２】  正面図である。
【図３】  装着状況説明斜視図である。
【発明を実施するための形態】
【０００８】  本発明の実施例を図面を参照に説明する。図１は、本発明の一実施例の斜視図である。図２は、正面図である。図３は、装着状況説明斜視図である。
図１に示すように本実施例では、袋形状の男性用携帯小便容器１は、開口部２を折り返し、内側に輪ゴム３を封入し、融着固定してある。さらに開口部２には、腰押さえ紐４の端部５、５を係着し、かつ、腰押さえ紐４の適所には、長さ調節ストッパー６を装着している。更には、男性用携帯小便容器１内に吸水剤・消臭剤・芳香剤７、７を装填してある。従って、本発明を実施するには、図２に示すように、腰に、腰押さえ紐４をまきつけ、長さ調節ストッパー６で、腰押さえ紐４の長さを調節すると、男性用携帯小便容器は腰に安定的にフイットし、所定の位置に落ち着く。又、開口部２には輪ゴム３が封入されているので、開口部２は広がり、ペニス８は男性用携帯小便容器１内に、容易に挿入することができる。本実施例では以上のように、本容器内に、吸水剤・消臭剤・芳香剤７、７が装填されていることから、排尿すると凝固され、消臭剤でいやな臭いは消え、芳香剤で良い香りがする。
【符号の説明】
【０００９】  （１）  は、携帯小便容器
（２）  は  開口部
（３）  は  輪ゴム
（４）  は  腰押さえ紐
（５）  は  端部
（６）  は  長さ調節ストッパー
（７）  は  吸水剤・消臭剤・芳香剤
（８）  は  ペニス
【産業上の利用可能性】
【００１０】  本発明は、医師が長い時間かけてする外科手術等の際に使用するグッツになるに違いない。また、地震や異常気象などの災害時でも、緊急性に対応する必需品として重視されるだろう。更には、職場や作業場を一時も離れられない人々にとっても役に立つ商品になるであろう。
【図１】
2012071085.tif 000003
【図２】
2012071085.tif 000004
【図３】
2012071085.tif 000005
(57)【要約】【課題】鍼灸治療の際、一般的に使用されているテイ鍼を回転させる時、指先で鍼を摘んで回転させていては皮膚に対して刺激にムラが生じるので、誰でも簡単に一定のスピードで回転させることができるように、螺旋テイ鍼を提供する。【解決手段】鍼の胴体部（２）に、螺旋状の微細な溝を多数刻んでいるので、鍼の胴体部（２）を指先で軽く摘み、そのまま鍼の胴体部（２）を鍼の先端部（１）へ向かって撫で下ろすだけで、鍼を廻すことができる。その為、鍼を一回転させる為に摘み直す手間も省け、一定の回転数とスピードを維持できるので、皮膚に対して一量の刺激を与えることが可能となる。【選択図】図３
2012071087.tif 000002
【特許請求の範囲】
【請求項１】
テイ鍼の胴体部（２）に、鍼の頭部（３）から鍼の先端部（１）に向かって螺旋状の微細な溝を多数刻み込んだ、螺旋テイ鍼。
【発明の詳細な説明】
【技術分野】
【０００１】この発明は、鍼灸治療の際、一般的に使用されているテイ鍼の胴体の部分に特殊加工を施した、螺旋テイ鍼に関するものである。
【背景技術】
【０００２】従来、テイ鍼の胴体部には特別に加工を施すようなことはなかった。
【先行技術文献】
【０００３】
【特許文献１】
【非特許文献１】
【発明の概要】
【発明が解決しようとする課題】
【０００４】これは、次のような欠点があった。
従来、鍼を回転させる時は、鍼の胴体部を指先で摘み、捻るように力を加えて鍼を回転させていた。その為、（イ）鍼を一回転させる為に何度か摘み直さなければならなかった。（ロ）回転数やスピードなどは指先の感覚と力加減に頼るしかなく、皮膚への刺激量にムラが生じてしまう。
本発明は、以上のような欠点をなくす為になされたものである。
【課題を解決する為の手段】
【０００５】鍼の胴体部（２）に、鍼の頭部（３）から鍼の先端部（１）に向かって螺旋状の微細な溝を多数刻んだものである。
本発明は、以上の構成よりなる、螺旋テイ鍼である。
【発明の効果】
【０００６】鍼の胴体部（２）に、螺旋状の微細な溝を多数刻んでいるので、鍼の胴体部（２）を指先で軽く摘み、そのまま鍼の胴体部（２）を鍼の先端部（１）へ向かって撫で下ろすだけで、鍼を廻すことができる。その為、鍼を一回転させる為に摘み直す手間も省け、一定の回転数とスピードを維持できるので、皮膚に対して一定量の刺激を与えることが可能となる。
【図面の簡単な説明】
【０００７】
【図１】本発明の斜視図
【図２】本発明の顕微鏡写真（右廻り）
【図３】本発明の顕微鏡写真（左廻り）
【発明を実践する為の形態】
【０００８】以下、本発明を実践する為の形態について説明する。
鍼の胴体部（２）に、鍼の頭部（３）から鍼の先端部（１）に向かって螺旋状の微細な溝を多数刻み込む。左回転させるには右巻きに、右回転させるには左巻きに螺旋状の溝を刻む。
本発明は以上のような構造である。
これを使用するときは、皮膚面に対して垂直になるように鍼の先端部（１）を接触させて、一方の手で鍼の頭部（３）上面を軽く固定する。もう一方の手で、鍼の頭部（３）付近の胴体部（２）を指先で軽く摘み、そのまま胴体部（２）を鍼の先端部（１）へ向かって撫で下ろし、鍼を回転させて皮膚に刺激を与える。
【符号の説明】
【０００９】１  鍼の先端部
２  鍼の胴体部
３  鍼の頭部
【図１】
2012071087.tif 000003
【図２】
2012071087.tif 000004
【図３】
2012071087.tif 000005